(57)【要約】      （修正有）【課題】ＣＯ２ガスの熱を効果的に回収し、火力発電プラントにおけるタービンの出力を上昇させることができるようにした熱回収装置及び熱回収方法を提供する。【解決手段】火力発電プラント１１２から排出される燃焼排ガス中のＣＯ２を、吸収装置で吸収液に吸収させることによって除去し、ついで、該ＣＯ２を再生塔１０４〜１０７で該吸収液から再生し、再生塔出口のＣＯ２ガスをガス冷却塔１００に供給するとともに、該ガス冷却塔からのリフラックス水を該火力発電プラントの低圧給水加熱器１１４、１１６に送ってボイラ給水を加熱する。【選択図】図１
2010240617.tif 000002
【特許請求の範囲】
【請求項１】
火力発電プラントから排出される燃焼排ガス中のＣＯ２を除去するための吸収装置及び該吸収装置からの吸収液からＣＯ２を再生するための再生装置に併設された熱回収装置であって、再生装置出口ＣＯ２ガスを冷却するための再生装置出口ＣＯ２ガス冷却装置を備え、上記火力発電プラント内のボイラ給水加熱器と上記再生装置出口ＣＯ２ガス冷却装置との間でリフラックス水を循環するための循環ラインをさらに備えることを特徴とする熱回収装置。
【請求項２】
上記循環ラインが、バイパスラインを備え、該バイパスラインが開放された際、上記火力発電プラント側へのリフラックス水の供給を停止するよう構成したことを特徴とする請求項１に記載の熱回収装置。
【請求項３】
上記再生装置出口ＣＯ２ガス冷却装置からの出口リフラックス水を、少なくとも一段のＣＯ２圧縮機を備えるＣＯ２ガス圧縮装置に送り、該ＣＯ２ガス圧縮装置に設けた少なくとも一基のリフラックス給水加熱器を通して加熱後、上記循環ラインに戻すようことができるようにしたことを特徴とする請求項１又は２に記載の熱回収装置。
【請求項４】
火力発電プラントから排出される燃焼排ガス中のＣＯ２を、吸収装置で吸収液に吸収させることによって除去し、再生装置で上記吸収装置からの吸収液からＣＯ２を再生し、再生装置出口ＣＯ２ガスを再生装置出口ＣＯ２ガス冷却装置に供給して冷却し、上記再生装置出口ＣＯ２ガス冷却装置からのリフラックス水を上記火力発電プラントのボイラ給水加熱器に送ってボイラ給水を加熱するようにしたことを特徴とする熱回収方法。
【発明の詳細な説明】
【技術分野】
【０００１】
本発明は、熱回収装置及び熱回収方法に関する。
【背景技術】
【０００２】
地球の温暖化現象の原因として、ＣＯ２による温室効果が大きいものと認識されている。温暖化による地球環境への悪影響は甚大であり、大雨・洪水等の異常気象、氷河の消失による海面上昇、その結果としての島々の水没等、深刻な結果を招いている。そのようなことから、国際的にＣＯ２排出の抑制対策が喫緊の課題となっている。
ＣＯ２の発生源は、化石燃料を燃焼させるあらゆる人間の活動分野に及んでいる。
これに伴い大量の化石燃料（石炭等）を使用する火力発電所などの動力発生設備を対象に、ボイラの燃焼排ガスをアミン系ＣＯ２吸収液と接触させ、燃焼排ガス中のＣＯ２を除去、回収する方法及びこのように回収されたＣＯ２を大気へ放出することなく貯蔵する方法が実施されている。例えば、回収されたＣＯ２はＣＯ２コンプレッサで圧縮された後に、パイプラインでＣＯ２貯留場所に送られる。
【０００３】
また、上記のようなＣＯ２吸収液を用い、燃焼排ガスからＣＯ２を除去・回収する工程としては、吸収塔において燃焼排ガスとＣＯ２吸収液とを接触させる工程、ＣＯ２を吸収した吸収液を再生塔において加熱し、ＣＯ２を遊離させると共に吸収液を再生して再び吸収塔に循環して再使用するものが採用されている（特許文献１）。
【０００４】
ここで、再生塔からのＣＯ２含有ガスは、加熱されているので、８５℃又はその前後の温度を持っている。この熱を効率的に回収すれば、少なくとも０．５％の発電効率の改善を図ることができるものと、本発明者らは想定した。さらに、ＣＯ２コンプレッサではＣＯ２圧縮時にＣＯ２ガスの温度が上昇するため、この熱を同様に効果的に回収すれば、更なる発電効率の改善を図ることができるとも考えた。
すなわち、石炭等を用いる火力発電プラント向のＣＯ２回収装置では消費する蒸気量と電力の消費量が大きいため、発電出力の低下が大きい。一方、上記のようにＣＯ２回収装置自体も、低レベルであるが大きい発熱量がある。したがって、発電出力の低下を極力防止するため、ＣＯ２回収装置の発生熱量を利用して発電量を増加させることが重要であると考えた。
【０００５】
この想定に従って、本発明者らは、図３に示すような形態のシステムを試行した。
この形態に係る熱回収装置２００では、ボイラ給水加熱器２０２を、現状の再生塔コンデンサ２０４の前流に設置し、火力発電プラント２０６からのボイラ給水を供給して再生塔出口ＣＯ２ガスを冷却することとしている。そして、この冷却と同時にボイラ給水を加熱し、加熱後の液を火力発電プラント２０６側へ戻す方法こととした。これらを発電プラントに戻す前にＣＯ２コンプレッサの給水加熱器に通し、さらに加温した後に戻せば回収される熱量は増加する。
なお、冷却した再生塔出口ＣＯ２ガスは、再生塔リフラックスドラム２０８を経て、製品ＣＯ２として回収することとした。そして、再生塔リフラックスドラム２０８の底部から、再生塔リフラックスポンプ２１０によって水を回収し、再生塔にリフラックス水として還流することとした。
【０００６】
しかしながら、この試行形態では以下の欠点があり、経済性に乏しいことが判明した。
（１）有効に熱を回収するため大流量（ボイラ給水の全量）を上記ボイラ給水加熱器２０２に送ることが必要となり、火力発電プラント２０６側に大幅な改造を行わなければならなくなる。
（２）大型の石炭火力発電プラント向のＣＯ２回収装置においては、熱交換器台数と配管類が増加して敷地上の制約が問題となり、通常の火力発電プラントでは配置が難しい。
（３）ボイラ給水により再生塔塔頂ＣＯ２ガスより回収できる熱量が多いほど経済的である。しかし、現状は配置上の制約により、ボイラ給水加熱器２０２として、シェル・アンド・チューブ型熱交換機を複数台設置することは事実上不可能である。
（４）また、ボイラ給水加熱器２０２におけるＣＯ２ガス側圧力損失が過大になってしまう。もし、ＣＯ２コンプレッサのＣＯ２圧縮熱を回収する場合、ＣＯ２コンプレッサの給水加熱器でトラブルが発生した場合、ＣＯ２ガスの圧力がボイラ給水圧力より高いため、ＣＯ２がリークして、発電プラントの運転に重大な影響を及ぼす懸念がある。
【０００７】
本発明者らは、このような問題を生じることなく、ＣＯ２再生塔出口ＣＯ２ガスの熱を効果的に回収し、火力発電プラントにおけるタービンの出力を上昇させるために、さらに鋭意検討を行った。
【先行技術文献】
【特許文献】
【０００８】
【特許文献１】特開平１０−２０２０５４号公報
【発明の概要】
【発明が解決しようとする課題】
【０００９】
本発明の目的は、ＣＯ２再生塔出口ＣＯ２ガスの熱を効果的に回収し、火力発電プラントにおけるタービンの出力を上昇させることができるようにした熱回収装置及び熱回収方法を提供することにある。
【課題を解決するための手段】
【００１０】
上記の課題を解決するため、本発明は、火力発電プラントから排出される燃焼排ガス中のＣＯ２を除去するための吸収装置及び該吸収装置からの吸収液からＣＯ２を再生するための再生装置に併設された熱回収装置であって、再生装置出口ＣＯ２ガスを冷却するための再生装置出口ＣＯ２ガス冷却装置を備え、上記火力発電プラント内のボイラ給水加熱器と上記再生装置出口ＣＯ２ガス冷却装置との間でリフラックス水を循環するための循環ラインをさらに備えることを特徴とする。
【００１１】
ここで、上記吸収装置は、吸収塔、上記再生装置は、再生塔、上記再生装置出口ＣＯ２ガス冷却装置は、再生塔出口ＣＯ２ガス冷却塔として実施される形態が一般的である。
したがって、本発明は、その一実施の形態で、火力発電プラントから排出される燃焼排ガス中のＣＯ２を除去するための吸収塔及び該吸収塔からの吸収液からＣＯ２を再生するための再生塔に併設された熱回収装置であって、再生装置出口ＣＯ２ガスを冷却するための再生塔出口ＣＯ２ガス冷却塔を備え、上記火力発電プラント内のボイラ給水加熱器と上記再生塔出口ＣＯ２ガス冷却塔との間でリフラックス水を循環するための循環ラインをさらに備えることを特徴とする。
【００１２】
また、本発明に係る熱回収装置は、その好適な形態で、上記循環ラインが、バイパスラインを備え、該バイパスラインが開放された際、上記火力発電プラント側へのリフラックス水の供給を停止するように構成したことを特徴とする。
【００１３】
上記の課題を解決するため、本発明は、別の側面で熱回収方法であり、火力発電プラントから排出される燃焼排ガス中のＣＯ２を、吸収装置で吸収液に吸収させることによって除去し、再生装置で上記吸収装置からの吸収液からＣＯ２を再生し、再生装置出口ＣＯ２ガスを再生装置出口ＣＯ２ガス冷却装置に供給して冷却し、上記再生装置出口ＣＯ２ガス冷却装置からのリフラックス水を上記火力発電プラントのボイラ給水加熱器に送ってボイラ給水を加熱するようにしたことを特徴とする。
【００１４】
ここで、上記吸収装置は、吸収塔、上記再生装置は、再生塔、上記再生装置出口ＣＯ２ガス冷却装置は、再生塔出口ＣＯ２ガス冷却塔として実施される形態が一般的である。
したがって、本発明に係る熱回収方法は、その一実施の形態で、火力発電プラントから排出される燃焼排ガス中のＣＯ２を、吸収塔で吸収液に吸収させることによって除去し、再生塔で上記吸収塔からの吸収液からＣＯ２を再生し、再生塔出口ＣＯ２ガスを再生塔出口ＣＯ２ガス冷却塔に供給して冷却し、上記再生塔出口ＣＯ２ガス冷却塔からのリフラックス水を上記火力発電プラントのボイラ給水加熱器に送ってボイラ給水を加熱するようにしたことを特徴とする。
【発明の効果】
【００１５】
本発明によれば、ＣＯ２再生塔出口ＣＯ２ガスの熱を効果的に回収し、火力発電プラントにおけるタービンの出力を上昇させることができるようにした熱回収装置及び熱回収方法が提供される。
【図面の簡単な説明】
【００１６】
【図１】本発明に係る熱回収装置の概要を説明する概念図である。
【図２】本発明に係る熱回収装置に併用できるＣＯ２圧縮装置の一実施の形態を説明する概念図である。
【図３】本発明に先立つ試行形態を説明する概念図である。
【発明を実施するための形態】
【００１７】
以下に、添付図面に示した実施の形態を参照しながら、本発明に係る熱回収装置及び熱回収方法を説明する。
【００１８】
図１は、本発明に係る熱回収装置について、その一実施の形態を示す。
本発明に係る熱回収装置は、再生塔出口ＣＯ２ガス冷却塔１００と、循環ライン１０２とを主要な構成要素として備える。再生塔出口ＣＯ２ガス冷却塔１００は、以下において、ＣＯ２ガス冷却塔１００ともいう。
【００１９】
本実施の形態では、ＣＯ２ガス冷却塔１００は、４系統の再生塔１０４〜１０７から再生塔出口ＣＯ２ガス（以下、ＣＯ２ガスともいう。）の供給を受ける。
ＣＯ２ガス冷却塔１００は、再生塔出口ＣＯ２ガスを冷却するために、リフラックス水を供給するためのスプレイ手段を上部に備える。そして、ＣＯ２ガスと冷却水が熱交換を行うための充填部（図示せず）を設けている。充填部は、ＣＯ２ガス冷却塔１００の中間部に設置されている。充填部に内蔵される充填物は、粒状の例えばステンレススチール３０４が好適である。
ＣＯ２ガス冷却塔１００の上部には、冷却後のＣＯ２ガスが排出される排出ライン１０１が設けられている。
ＣＯ２ガス冷却塔１００の底部は、循環ライン１０２に接続されている。  
【００２０】
循環ライン１０２は、冷却塔ポンプ１１０、火力発電プラント１１２の低圧第２給水加熱器１１４及び低圧第１給水加熱器１１６、並びに循環水クーラ１１８を経由してＣＯ２ガス冷却塔１００に至るように設けられている。循環ライン１０２内は、ＣＯ２ガス冷却塔１００からのリフラックス水が流れる。したがって、循環ライン１０２は、このような目的を充足する仕様を備えた配管によって形成する。
【００２１】
なお、循環ライン１０２には、バイパスライン１２０が設けられている。このバイパスライン１２０のバルブ１２１が開放された際には、図示しない他のバルブを閉じることによって、火力発電プラント１１２側へのリフラックス水の供給が停止するよう構成されている。
【００２２】
低圧第２給水加熱器１１４及び低圧第１給水加熱器１１６には、火力発電プラント１１２で使用されるボイラ給水が流れる。そして、これらの加熱器１１４、１１６では、循環ライン１０２内を流れるリフラックス水と、ボイラ給水とが熱交換できるように構成されている。低圧第２給水加熱器１１４及び低圧第１給水加熱器１１６としては、ワンパス式シェル・アンド・チューブ型熱交換器を用いることが好適である。
【００２３】
本実施の形態に係る熱回収装置は、火力発電プラント１１２から排出される燃焼排ガス中のＣＯ２を除去するための吸収塔（図示せず）及び該吸収塔からの吸収液からＣＯ２を再生するための再生塔１０４〜１０７に併設されている。
【００２４】
上記吸収塔では、ＣＯ２を含有する燃焼排ガスとＣＯ２吸収液とを接触させてＣＯ２を除去する。再生塔１０４〜１０７では、ＣＯ２を吸収したＣＯ２吸収液を加熱することによってＣＯ２ガスを再生する。
ＣＯ２吸収液としては特に限定されるものではないが、アルカノールアミンやアルコール性水酸基を有するヒンダードアミン類を例示することができる。
なお、再生塔１０４〜１０７で再生されるものは、ＣＯ２である。しかし、水蒸気等も含まれるので、本明細書、特許請求の範囲では、再生塔１０４〜１０７から排出されるものを、再生装置出口ＣＯ２ガス、再生塔出口ＣＯ２ガス又はＣＯ２ガスと指称する。
【００２５】
次に、図１に示した熱回収装置の作用を説明することによって、本発明に係る熱回収方法の一実施の形態を説明する。
【００２６】
まず、上記したように、再生塔１０４〜１０７では、吸収塔からのＣＯ２吸収液からＣＯ２を再生する。
そして、再生塔１０４〜１０７からの出口ＣＯ２ガスをＣＯ２ガス冷却塔１００に供給する。
ＣＯ２ガス冷却塔１００では、その上部から、例えば３０℃又はその前後の温度に冷却されたリフラックス水が、充填部に向けて噴霧される。
充填部では、８５℃又はその前後の温度を持つＣＯ２ガスがフラックス水と熱交換を行う。すなわち、ＣＯ２ガスがリフラックス水によって直接冷却される。
【００２７】
冷却後のＣＯ２ガス（ＣＯ２）は、排出ライン１０１から排出される。このＣＯ２ガス（ＣＯ２）は、一般的には圧縮又は液化され、貯蔵される。
【００２８】
一方、熱交換後のリフラックス水は、８０℃又はその前後の温度となり、冷却塔ポンプ１１０によって、火力発電プラント１１２に送られる。
そして、リフラックス水は、低圧第２給水加熱器１１４に送られ、５４℃又はその前後の温度に加熱されているボイラ給水を６７℃又はその前後の温度に加熱する。さらに、その後、低圧第１給水加熱器１１６に送られ、４２℃又はその前後の温度のボイラ給水を６７℃又はその前後の温度に加熱する。なお、ボイラ給水は、供給ポンプ１２２によって、加熱器１１４、１１６に供給される。
なおここで、リフラックス水を送ってボイラ給水を加熱するボイラ給水加熱器については、各火力発電プラントにより異なる場合があり、それぞれ温度条件が最適のボイラ給水加熱器を選択することが好適である。
【００２９】
そして、５４℃又はその前後の温度に冷却されたリフラックス水は、循環水クーラ１１８に送られ、さらに３０℃又はその前後の温度に冷却される。なお、この循環水クーラ１１８は、諸条件の調整によって不要とすることもできる。
その後、ＣＯ２ガス冷却塔１００の上部からリフラックス水として再度供給される。
本実施の形態では以上のように循環ライン１０２をリフラックス水が循環することにより、ＣＯ２ガスからの熱回収が行われる。
なお、リフラックスポンプ１２４によって、余剰の水分が除去される。この水分は、主としてＣＯ２ガスに含まれる水蒸気に帰因するものである。
【００３０】
また、火力発電プラント等の稼働状況により、バイパスライン１２０のバルブ１２１が開放される。この際には、図示しない他のバルブを閉じることによって、火力発電プラント１１２側へのリフラックス水の供給が停止する。
これによって、低圧給水加熱器１１４、１１６に温水を供給できない場合は、バイパスライン１１２を開くことにより、火力発電プラント１１２側に温水を供給することをバイパスでき、運転がフレキシブルとなる。
【００３１】
本実施の形態では、１，５００ｍ３／ｈｒのリフラックス水を循環し、同量のボイラ給水を加熱する形態を想定している。しかし、本発明は、このような水量に限定されるものではない。また、上記した温度条件は、好適なものではあるものの、あくまで例示的なものである。
そして、本実施の形態のようにボイラ給水を６７℃まで上昇させた場合には、タービン出力が０．３％向上する。
【００３２】
また、本実施の形態のように、リフラックス水と、ボイラ給水の流量を同等とすることにより、ワンパス式シェル・アンド・チューブ型熱交換器を用いることで、７５℃までの昇温も可能である。その場合、タービン出力は０．４％向上する。
【００３３】
図１の実施の形態から理解されるように、本発明では、再生塔がマルチ系統（４系統）であってもＣＯ２ガス冷却塔は１系列として、全ての再生塔出口ガスをＣＯ２ガス冷却塔下部に送ることができる。これによって、大幅な敷地の削減に繋がる。  
また、リフラックス水は加熱蒸気の代わりに低圧給水加熱器１１４、１１６のシェル側に流すことができるため、給水加熱器の改造を最低限にできる。
【００３４】
さらに、この場合、低圧給水加熱器１１４、１１６が故障したとき、アミンを含んだリフラックス水がボイラ給水側にリークし、ボイラ給水が汚れることも懸念される。しかし、リフラックス水の圧力はボイラ給水圧力よりも常に低くできるため、故障時にもリフラックス水がボイラ給水に流入することがなく、ボイラ給水が汚れるおそれは皆無である。
【００３５】
またさらに、図３について説明した試行形態とは異なり、本発明では、機器点数が減少し、ＣＯ２ガス冷却塔の循環水クーラ１１８としてプレート熱交換器を使用でき、機器全体を狭い敷地に納めることができるという利点も有する。
【００３６】
加えて、本実施の形態に係る熱回収装置では、ＣＯ２ガス側の圧力損失が大幅（２０００ｍｍＡｑ→２００ｍｍＡｑ）に減少する。このため、ＣＯ２コンプレッサ入口圧力を同じに保つとして、再生塔の運転圧力が減少する。その結果、ＣＯ２ガス中の水分が増加するため、熱の回収量が増加し、さらに再生塔での吸収液のロスが減少する。
【００３７】
再生塔１０４〜１０７を経てＣＯ２ガス冷却塔１００を出たＣＯ２ガスは通常ＣＯ２圧縮機へ送られて昇圧される。ＣＯ２圧縮機は２〜６段でＣＯ２ガスを圧縮するが、各段の間にはインタークーラが設置されており、圧縮機の圧縮熱で昇温されたＣＯ２ガスを冷却して、ＣＯ２ガスを圧縮する動力を低減させることが計られている。
【００３８】
このインタークーラの前流に給水加熱器をさらに設置して、ＣＯ２圧縮熱で火力発電プラント１１２側から導いたボイラ給水を加熱して再び発電プラント１１２側に戻し、発電機出力を増加させることが考えられている。しかしながら、ボイラ給水加熱器に入るＣＯ２ガスの圧力は２〜２００ｋｇ／ｃｍ２Ｇの圧力となり、ボイラ給水圧力より高いため、ボイラ給水加熱器に腐食等のトラブルが派生した場合、高圧ＣＯ２ガスがボイラ給水ヒータ側にリークして火力発電プラント１１２側に重大な悪影響を及ぼすため、採用がためらわれている。
【００３９】
ここで、図1に係る熱回収装置の冷却塔ポンプ１１０出口のリフラックス水を、これらの給水加熱器に通水し加熱して、火力発電プラント１１２のボイラ給水加熱器１１４、１１６に送ることもできる。
このようにした場合、蒸気給水ヒータにてＣＯ２ガスのリークが起こった場合でも、火力発電プラント１１２のボイラ給水中にＣＯ２ガスが混入する恐れはなく、採用が可能となる。
【００４０】
このような改良について、図２も参照して説明する。図１の切替バルブ１２６を挟んで、リフラックス水を、バルブ１２８を介して図２のＣＯ２ガス圧縮装置側へ取り出し、リフラックス水を、バルブ１３０を介して図２のＣＯ２ガス圧縮装置側から戻すことができるように構成している。
【００４１】
切替バルブ１２６を閉成し、バルブ１２８、１３０を開放することによって、図２のＣＯ２ガス圧縮装置へリフラックス水が送られ加熱された後、循環ライン１０２に加熱したリフラックス水を戻すことができる。
切替バルブ１２６を開放し、バルブ１２８、１３０を閉成することによって、リフラックス水をＣＯ２ガス圧縮装置へ送らない状態となる。
【００４２】
図２のＣＯ２ガス圧縮装置は、第1段〜第４段のＣＯ２圧縮機１５０、１５２、１５４、１５６を備えている。
ここで、切替バルブ１２６を閉成し、バルブ１２８、１３０を開放した状態でのＣＯ２ガス圧縮装置の作用を説明する。
【００４３】
ガス冷却塔１００の塔頂頂部のライン１０１（図1）から取り出されたＣＯ２ガスは、第１ドラム１５８、第１段ＣＯ２圧縮機１５０、第１リフラックス給水加熱器１６０、第１インタークーラ１６２、第２ドラム１６４、第２段ＣＯ２圧縮機１５２、第２リフラックス給水加熱器１６６、第２インタークーラ１６８、第３ドラム１７０、第３段ＣＯ２圧縮機１５４、第３リフラックス給水加熱器１７２、第３インタークーラ１７４、第４ドラム１７６、第４段ＣＯ２圧縮機１５６、第４リフラックス給水加熱器１７８、ＣＯ２製品インタークーラ１８０を経て、パイプライン側に排出される。
【００４４】
一方、リフラックス水は、第１リフラックス給水加熱器１６０、第２リフラックス給水加熱器１６６、第３リフラックス給水加熱器１７２、及び第４リフラックス給水加熱器１７８を経て加熱され、バルブ１３０（図１）を経て火力発電プラント１１２の給水加熱器に送られる。
【００４５】
図２のＣＯ２ガス圧縮装置で、ＣＯ２ガスを８０ｋｇ／ｃｍ２Ｇまで圧縮する場合、リフラックス水の温度は更に１５℃以上上昇し、蒸気のシステムと併せ、火力発電プラントの出力の増加は０．５％以上となり、冷却水の消費量も更に減少する。
なお、上記ＣＯ２圧縮機は、実施例では四段設けられている。しかし、少なくとも一段設けられればよく、二段、三段さらには、五段以上設けることも、ＣＯ２ガス圧縮装置の稼働条件に適合する限り可能である。
【００４６】
以上説明した実施の形態から理解されるように、本発明に係る熱回収装置では、回収した熱を液体で送るため、火力発電プラント側の複数の熱交換器に供給することが可能となり、ボイラ給水の加熱に使うことのできる熱量が増加する。このことによりシステム全体としての冷却水量も低減する。
【産業上の利用可能性】
【００４７】
以上説明したように、本発明に係る熱回収装置及び熱回収方法は、ＣＯ２ガスを低圧損化するＣＯ２ガス冷却塔（充填塔）を用い、ＣＯ２ガスを直接冷却し、火力発電プラントにおけるヒート・インテグレーション（Ｈｅａｔ  Ｉｎｔｅｇｒａｔｉｏｎ）との好適な組合せを行っていることが了解される。
これによって、火力発電プラント側で再利用できる熱を最大化する循環ライン構成となっており、火力発電プラント側の改造が最小限となり、産業上の利用性が確実となり、火力発電プラントの発電量を増加することができる。
【符号の説明】
【００４８】
１００    ＣＯ２ガス冷却塔
１０１    排出ライン
１０４、１０５、１０６、１０７  再生塔
１１０    冷却塔ポンプ
１１２    火力発電プラント  
１１４    低圧第２給水加熱器
１１６    低圧第１給水加熱器
１１８    循環水クーラ
１２０    バイパスライン
１２２    ボイラ給水ポンプ
１２４    リフラックス水ポンプ  
１２６    切替バルブ
１２８    バルブ
１３０    バルブ
１５０、１５２、１５４、１５６    ＣＯ２圧縮機
１５８    第１ドラム
１６０    第１リフラックス給水加熱器１６０
１６２    第１インタークーラ
１６４    第２ドラム
１６６    第２リフラックス給水加熱器
１６８    第２インタークーラ
１７０    第３ドラム
１７２    第３リフラックス給水加熱器
１７４    第３インタークーラ
１７６    第４ドラム
１７８    第４リフラックス給水加熱器
１８０    ＣＯ２製品インタークーラ
【図１】
2010240617.tif 000003
【図２】
2010240617.tif 000004
【図３】
2010240617.tif 000005